(57)【特許請求の範囲】
【請求項１】
それぞれ種類ごとに全体あるいは一部に異なった色が付与されているカードに対してそれぞれ個人データを印刷して発行するカード印刷装置において、
個人番号に対応した発行するカードの種類を示すデータを有する個人データファイルを記憶している第１の記憶手段と、
上記カードの種類を示すデータに対応する色データを記憶している第２の記憶手段と、
発行するカードに対応する個人番号を指示する指示手段と、
この指示手段により指示された個人番号に対応する個人データファイルを上記第１の記憶手段から読出す第１の読出手段と、
この第１の読出手段により読出された個人データファイル内のカードの種類を示すデータに対応する色データを上記第２の記憶手段から読出す第２の読出手段と、
この第２の読出手段により読出された色データに対応する色で全体あるいは一部が発色された状態で、上記第１の読出手段により読出された個人データファイルの内容を表示する表示手段と、
印刷するカードを受入れる受入手段と、
この受入手段により受入れたカードに上記第１の読出手段により読出された個人データファイルの内容を印刷する印刷手段と、
を具備したことを特徴とするカード印刷装置。
【請求項２】
上記第２の読出手段により読出された色データに対応する色で、上記表示手段により表示される文字が発色することを特徴とする請求項１記載のカード印刷装置。
【請求項３】
それぞれ種類ごとに全体あるいは一部に異なった色が付与されているカードに対してそれぞれ個人データを印刷して発行するカード印刷装置の印刷方法において、
発行するカードに対応する個人番号を指示する指示工程と、
この指示工程により指示された個人番号に対応する個人データファイルを、個人番号に対応した発行するカードの種類を示すデータを有する個人データファイルを記憶している第１の記憶手段から読出す第１の読出工程と、
この第１の読出工程により読出された個人データファイル内のカードの種類を示すデータに対応する色データを上記カードの種類を示すデータに対応する色データを記憶している第２の記憶手段から読出す第２の読出工程と、
この第２の読出工程により読出された色データに対応する色で全体あるいは一部が発色された状態で、上記第１の読出工程により読出された個人データファイルの内容を表示する表示工程と、
印刷するカードを受入れる受入工程と、
この受入工程により受入れたカードに上記第１の読出工程により読出された個人データファイルの内容を印刷する印刷工程と、
を具備したことを特徴とするカード印刷装置の印刷方法。
【請求項４】
上記第２の読出工程により読出された色データに対応する色で、上記表示工程により表示される背景が発色することを特徴とする請求項３記載のカード印刷装置の印刷方法。
【発明の詳細な説明】
【技術分野】
【０００１】
この発明は、たとえば、種類ごとに色分けされたカードに対してそれぞれ個人データを印刷して発行するカード印刷装置及びカード印刷装置の印刷方法に関する。
【背景技術】
【０００２】
従来、種類ごとに色分けされたカードに対してそれぞれ個人データを印刷して発行するカード印刷装置が実用化されている。上記カードとしては、たとえば、磁気ストライプ付きのクレジットカードなどである。これにより、上記カード印刷装置は、クレジットカード会社等のように会員別に緑、金、白金色等に色分けされた生カードに対して、個人データを印刷する際に用いられる装置である。
【０００３】
このようなカード印刷装置では、個人データを印刷する場合、ホッパーにセットしたカードの種類と、画面上に呼び出した個人データを印刷するカードの種類とが一致しているか否かを、照合をする必要がある。この際、呼び出した個人データのカードの種別を示す項目とセットされたカードの種別と一致するかを目視で確認していた。
【０００４】
このため、項目名の見誤りなどにより、異なった種類のカードに対して、個人データを印刷してしまう可能性があった。特に、その項目名の文字数が多くなるにつれ、照合における正確性が低下し、所要時間が長くなるという問題があった。
【０００５】
したがって、印刷するデータに対応するカードの種類を見誤る可能性があり、印刷するデータの種類と印刷するカードの種類との照合がし難く、照合の正確性が低下し、所要時間が長くなるという欠点がある。
【発明の開示】
【発明が解決しようとする課題】
【０００６】
上記したように、印刷するデータに対応するカードの種類を見誤る可能性があり、印刷するデータの種類と印刷するカードの種類との照合がし難く、照合の正確性が低下し、所要時間が長くなるという欠点を除去するもので、印刷するデータに対応するカードの種類を容易に知ることができ、印刷するデータの種類と印刷するカードの種類との照合がし易く、その照合の正確性が向上し、所要時間を短縮させることができるカード印刷装置及びカード印刷装置の印刷方法を提供することを目的とする。
【課題を解決するための手段】
【０００７】
この発明のカード印刷装置は、それぞれ種類ごとに全体あるいは一部に異なった色が付与されているカードに対してそれぞれ個人データを印刷して発行するものにおいて、個人番号に対応した発行するカードの種類を示すデータを有する個人データファイルを記憶している第１の記憶手段と、上記カードの種類を示すデータに対応する色データを記憶している第２の記憶手段と、発行するカードに対応する個人番号を指示する指示手段と、この指示手段により指示された個人番号に対応する個人データファイルを上記第１の記憶手段から読出す第１の読出手段と、この第１の読出手段により読出された個人データファイル内のカードの種類を示すデータに対応する色データを上記第２の記憶手段から読出す第２の読出手段と、この第２の読出手段により読出された色データに対応する色で全体あるいは一部が発色された状態で、上記第１の読出手段により読出された個人データファイルの内容を表示する表示手段と、印刷するカードを受入れる受入手段と、この受入手段により受入れたカードに上記第１の読出手段により読出された個人データファイルの内容を印刷する印刷手段とから構成されている。
【発明の効果】
【０００９】
以上詳述したように、この発明によれば、印刷するデータに対応するカードの種類を容易に知ることができ、印刷するデータの種類と印刷するカードの種類との照合がし易く、その照合の正確性が向上し、所要時間を短縮させることができるカード印刷装置及びカード印刷装置の印刷方法を提供できる。
【発明を実施するための最良の形態】
【００１０】
以下、この発明の実施形態について図面を参照して説明する。
【００１１】
図１は、カード印刷装置を示すものである。すなわち、このカード印刷装置は、図１に示すように、データベースコンピュータ１とこのデータベースコンピュータ１と通信回線１２を介して接続されている印刷装置９とにより構成されている。
【００１２】
データベースコンピュータ１は、全体の制御を行う制御部２、情報の演算処理を実行する演算部３、カード印刷用の個人データが記憶されている磁気ディスク装置４を含めて情報を記憶する記憶部５、外部装置としての印刷装置９との通信を行う通信制御部６とから構成される。
【００１３】
また、データベースコンピュータ１には情報を表示するＣＲＴディスプレイ表示装置７、オペレータによる操作により種々の指示が行われるキーボード８とが接続されている。
【００１４】
上記印刷装置９は、外部装置としてのデータベースコンピュータ１との通信を行う通信制御部１０と、図示しないホッパーあるいは挿入口に挿入された未印刷状態のカード（生カード）Ｃに対して上記データベースコンピュータ１から供給された個人データの印刷を行う印刷部１１とから構成されている。
【００１５】
図２は上記データベースコンピュータ１のソフトの基本機能を示すブロック図である。
【００１６】
すなわち、キーボード８から入力された個人番号を個人番号受付部３０が受け付ける。個人データ読込部４０は受け付けた個人番号をキーとして図３に示される個人データファイルＦ１から個人データを読み込む。読み込まれた個人データは解釈部５０で解釈される。解釈部５０は個人データの中から種別コードを取り出し、図４に示される種別マスタＦ２から種別コードに対応する色を取り出す。その後、個人データ表示部６０により未印刷状態のカードＣに印刷される情報としての個人データ等の文字データが表示されると共に、背景がその種別コードに対応する色で発色がされる。この背景の発色により、オペレータがセットしなければならない未印刷状態のカードＣの色（未印刷状態のカードＣに着色された色）が一目で判るようにしている。
【００１７】
ここで、オペレータからの印刷要求待ち状態となる。オペレータから印刷要求があった場合、通信部７０は印刷情報を印刷装置９に送信する。印刷装置９は印刷情報を受け取ると印刷を開始する。
【００１８】
上記個人データファイルＦ１と種別マスタＦ２とは、上記磁気ディスク装置４により記憶されている。上記個人データファイルＦ１は、図３に示すように、個人番号ごとに対して、その個人の氏名、カードの有効期限、カードの種類を示す種別コード、その他（住所、勤務地等）が対応して記憶されている。上記種別マスタＦ２は、図４に示すように、カードの種類を示す種別コードごとに対応する色つまり発行するカードＣの一部あるいは全体に付与されている色を示すデータが記憶されている。
【００１９】
次に、上記のような構成において、図５に示すフローチャートと、図６に示す操作フローとを用いて、動作を説明する。
【００２０】
すなわち、オペレータがデータベースコンピュータ１、印刷装置９に電源を投入すると、通信回線１２による接続が行われ両者は通信可能状態になる（ＳＴ１）。その後、制御部２は、ＣＲＴディスプレイ表示装置７で個人番号受付画面を表示される（ＳＴ２）。この表示に応じて、オペレータがカード発行申込書に記載されている個人番号をキーボード８から入力する。
【００２１】
この入力により、制御部２は、受け付けた個人番号をキーとして個人データファイルＦ１から１レコードを読み込み（ＳＴ３）、その読み込んだ個人データから種別コードを取り出し（ＳＴ４）、種別コードをキーとして種別マスタＦ２を読み込む（ＳＴ５）。種別マスタＦ２を解釈し発色する色を決定する（ＳＴ６）。これにより、制御部２は、その読み込んだ個人データをＣＲＴディスプレイ表示装置７で表示し（ＳＴ７）、上記決定した色で背景を発色する（ＳＴ８）。この時、ＣＲＴディスプレイ表示装置７は、背景を個人データと合致する未印刷状態のカード（生カード）Ｃに着色されているものと同じ色で発色する。
【００２２】
ここで、オペレータはその背景の発色にしたがって、色分けされた幾種類か存在する未印刷状態のカードＣの中から、発色と同色の未印刷状態のカードＣを取り出す（選び出す）。この取り出した未記録カードＣを印刷装置９のホッパーにセットする。
【００２３】
次に、オペレータがキーボード８から印刷要求を入力すると（ＳＴ９）、制御部２により印刷装置９に印刷要求とその印刷内容としての個人データ等が送信される（ＳＴ１０）。これにより、印刷装置９はカード印刷部１１により上記ホッパーにセットされた未印刷状態のカードＣに対して個人データ等を印刷し、個人データ等の印刷済みのカードＣとして発行する。
【００２４】
上記したように、クレジットカード会社等のように会員別に緑（グリーン）、金（ゴールド）、白金（プラチナ）色等に色分けされた未印刷状態のカードに対して個人データを印刷する場合、個人データと未印刷状態のカードの照合を、あらかじめ色の情報を登録しておき画面上の背景等で発色させることによって、文字を見ることなく、背景の色と未印刷状態のカードの色との一致で照合ができ、その照合における正確性の向上が図れ、所要時間の短縮が図れる。
【００２５】
なお、上記実施例では、オペレータがセットしなければならない未印刷状態のカードＣの色が一目で判るように、ＣＲＴディスプレイ表示装置７の背景をそのカードＣと同じ色で発色させるようにしたが、これに限らず、図８に示すように、個人データ内の種別コードに対応する文字「緑」を対応する色（緑）で発色させるようにしても良い。
【図面の簡単な説明】
【００２６】
【図１】この発明の実施形態を説明するためのカード印刷装置の概略構成を示す図。
【図２】カード印刷装置の機能ブロック図。
【図３】個人データファイルの構成例と記憶例を示す図。
【図４】種別マスタの構成例と記憶例を示す図。
【図５】この発明の動作を説明するためのフローチャート。
【図６】この発明の人間系動作と機械系動作を並行して説明する操作フロー。
【図７】ＣＲＴディスプレイ表示装置における表示例を示す図。
【図８】ＣＲＴディスプレイ表示装置における表示例を示す図。
【符号の説明】
【００２７】
１…データベースコンピュータ、２…制御部、３…演算部、４…磁気ディスク装置、５…記憶部、６…通信制御部、７…ＣＲＴディスプレイ表示装置、８…キーボード、９…印刷装置、１０…通信制御部、１１…印刷部、Ｃ…カード、Ｆ１…個人データファイル、Ｆ２…種別マスタ
【図１】
0003725890.tif 000002
【図２】
0003725890.tif 000003
【図３】
0003725890.tif 000004
【図４】
0003725890.tif 000005
【図５】
0003725890.tif 000006
【図６】
0003725890.tif 000007
【図７】
0003725890.tif 000008
【図８】
0003725890.tif 000009